(57)【要約】【課題】  自動販売機の利用者だけでなく不特定多数の通行人や車両の乗員に対しても注目されるような大画面広告を表示できる自動販売機を提供することである。【解決手段】  自動販売機１０１の扉部２の前面にスクリーン１３を配置し、そのスクリーン１３に開口部１４と広告表示部１５を設ける。そして、スクリーン切替え装置２０１により、スクリーン１３の開口部１４が配置される自動販売機モードと、スクリーン１３の広告表示部１５が扉部２を覆って配置されるスクリーン展開モードとが切り替えられるようにする。自動販売機１０１の利用者が多いと想定される時間帯にはスクリーン１３を自動販売機モードに配置し、利用者が少ないと想定される時間帯にはスクリーン１３をスクリーン展開モードに配置する。【選択図】  図３
2011018126.tif 000002
【特許請求の範囲】
【請求項１】
前面に少なくとも商品陳列部、商品取出部及び代金決済部を備えた本体と、
シート状をなし、本体の前面の全体又は一部を覆うように配置され、予め広告その他の文字・画像等の視覚情報が表示されたスクリーンと、
そのスクリーンが前記本体の前面の全体又は一部を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、
を含むことを特徴とする自動販売機。
【請求項２】
前記自動販売機が利用されている時間を計測する利用時間計測手段を備え、
前記利用時間計測手段により、自動販売機が一定時間に亘って利用されなかったことが計測され、かつ前記スクリーンが自動販売機モードに配置されているときに、前記スクリーン切替え装置がスクリーンをスクリーン展開モードに切り替えることを特徴とする請求項１に記載の自動販売機。
【請求項３】
自動販売機の利用者が前記自動販売機の本体に接近したことを検出する検出手段を備え、
前記検出手段が利用者を検出し、かつ前記スクリーンがスクリーン展開モードに配置されているときに、前記スクリーン切替え装置がスクリーンを自動販売機モードに切り替えることを特徴とする請求項１又は２に記載の自動販売機。
【請求項４】
前記自動販売機の本体は、その前面を照射する照明装置を備え、
前記スクリーンは、前記照明装置の光を透過可能に設けられていることを特徴とする請求項１ないし３のいずれか１項に記載の自動販売機。
【発明の詳細な説明】
【技術分野】
【０００１】
本発明は、自動販売機に関するものである。
【背景技術】
【０００２】
我が国においては屋内外に多数の自動販売機が設置されていて、しかも自動販売機によって販売される商品も飲料、食品、タバコ等の多岐に亘っている。自動販売機は道路沿いや店舗前に設置されることもあり、不特定多数の通行人や車両の乗員から視認され易い。このため、自動販売機に広告を設けると、その広告の注目度を高くすることができる。自動販売機に広告を設ける技術として、例えば特許文献１に開示されるものがある。
【０００３】
しかし、自動販売機の前面側（自動販売機の利用者と向かい合う側）には、商品の陳列部や購入した商品の取出口等が設けられていて、広告が設けられるスペースは狭い。このため、自動販売機に広告を設けてもその自動販売機の利用者が注目する程度であり、広告の訴求力は必ずしも高くないのが現状である。
【０００４】
また、自動販売機は、夜間でも稼動している場合が多い。しかし、夜間（特に深夜）における自動販売機の利用者の数は、昼間における利用者の数よりも少ない。このため、利用者の少ない深夜には、自動販売機の前面を大画面の広告スペースとすることが想定される。
【先行技術文献】
【特許文献】
【０００５】
【特許文献１】特開２００８−３１０４９２号公報
【発明の概要】
【発明が解決しようとする課題】
【０００６】
本発明は、上記した事情に鑑み、自動販売機の利用者だけでなく不特定多数の通行人や車両の乗員に対しても注目されるような大画面広告を表示できる自動販売機を提供することを課題とする。
【課題を解決するための手段】
【０００７】
上記課題を解決するための本発明は、
前面に少なくとも商品陳列部、商品取出部及び代金決済部を備えた本体と、
シート状をなし、本体の前面の全体又は一部を覆うように配置され、予め広告その他の文字・画像等の視覚情報が表示されたスクリーンと、
そのスクリーンが前記本体の前面の全体又は一部を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、
を含むことを特徴としている。
【発明の効果】
【０００８】
本発明に係る自動販売機は上記したように構成されていて、自動販売機の本体の前面に設けられたスクリーンが、スクリーン展開モードと自動販売機モードのいずれかに配置される。スクリーンがスクリーン展開モードに配置されたとき、自動販売機の本体の前面が、広告等の視覚情報が表示されたスクリーンで覆われる。これにより、自動販売機の本体の前面に大画面の広告が表示されることとなり、通行人や車両の乗員に注目され易くなる。この結果、自動販売機の利用者だけでなく、通行人や車両の乗員等に対して訴求力の高い広告を表示することができる。また、スクリーンが自動販売機モードに配置されたとき、自動販売機の本体の前面に設けられている商品陳列部等が露出されるため、自動販売機の利用者は通常の感覚で（スクリーンの存在を意識しないで）自動販売機を利用することができる。
【０００９】
前記自動販売機が利用されている時間を計測する利用時間計測手段を備え、
前記利用時間計測手段により、自動販売機が一定時間に亘って利用されなかったことが計測され、かつ前記スクリーンが自動販売機モードに配置されているときに、前記スクリーン切替え装置がスクリーンをスクリーン展開モードに切り替えるようにできる。即ち、スクリーンのスクリーン展開モードと自動販売機モードとの切替えを、自動販売機の利用頻度を調べることによって行うようにしてもよい。
【００１０】
また、自動販売機の利用者が前記自動販売機の本体に接近したことを検出する検出手段を備え、前記検出手段が利用者を検出し、かつ前記スクリーンがスクリーン展開モードに配置されているときに、前記スクリーン切替え装置がスクリーンを自動販売機モードに切り替えるうにしてもよい。これにより、昼間の時間帯のように、利用者が多いと想定される場合であっても、スクリーンをスクリーン展開モードに配置させ、自動販売機の本体を広告表示状態とすることができる。
【００１１】
前記自動販売機の本体は、その前面を照射する照明装置を備え、前記スクリーンは、前記照明装置の光を透過可能に設けられていることが望ましい。これにより、夜間の時間帯で自動販売機の利用者が少ないと想定されて、スクリーンがスクリーン展開モードに配置されている場合に、そのスクリーンに表示されている広告等の視覚情報を浮かび上がらせることができる。
【図面の簡単な説明】
【００１２】
【図１】本発明の第１実施例の自動販売機１０１の自動販売機モードにおける正面図である。
【図２】同じく側面図である。
【図３】同じくスクリーン展開モードにける正面図である。
【図４】（ａ）はスクリーン１３の全体正面図、（ｂ）は同じく全体側面図である。
【図５】第１実施例の自動販売機１０１の作用を示すフローチャートである。
【図６】別形態のスクリーン１３の全体正面図である。
【図７】第２実施例の自動販売機１０２の自動販売機モードにおける正面図である。
【図８】同じくスクリーン展開モードにおける正面図である。
【図９】第３実施例の自動販売機１０３の自動販売機モードにおける正面図である。
【図１０】同じくスクリーン展開モードにおける正面図である。
【図１１】第４実施例の自動販売機１０４のスクリーン展開モードにおける正面図である。
【図１２】（ａ）はスクリーン３３の全体正面図、（ｂ）は同じく全体側面図である。
【図１３】（ａ）はガイドローラ３６を取り付けたスクリーン３３の全体正面図、（ｂ）は同じく全体側面図である。
【図１４】（ａ）は第５実施例の自動販売機１０５のスクリーン展開モードにおける断面側面図、（ｂ）は同じく自動販売機モードにおける断面側面図である。
【図１５】第６実施例の自動販売機１０６の自動販売機モードにおける断面側面図である。
【発明を実施するための形態】
【００１３】
以下、本発明の実施の形態について詳細に説明する。
【００１４】
本発明において、図１は本発明の第１実施例の自動販売機１０１の自動販売機モードにおける正面図、図２は同じく側面図、図３は同じくスクリーン展開モードにける正面図、図４の（ａ）はスクリーン１３の全体正面図、（ｂ）は同じく全体側面図である。
【実施例１】
【００１５】
本発明の第１実施例の自動販売機１０１について説明する。図１及び図２に示されるように、自動販売機１０１は地面や床に設置され、正面側（前面側）が開口した箱型で商品（本実施例の場合、飲料）をストックする本体部１（本体）と、本体部１の高さ方向の一辺に蝶番連結され、閉状態で本体部１の開口を閉塞する扉部２（本体）とを備えている。扉部２を開閉することにより、商品の補充・交換や本体部１のメンテナンスを行っている。扉部２の前面には、商品陳列部３、硬貨投入口４，紙幣投入口５、返却レバー６、釣銭取出口７、商品取出口８等が設けられている。商品陳列部３は３段となって設けられ、その各段に商品である飲料の容器９がサンプル品として収容されていて、その前面が透明パネル板で覆われている。また、商品陳列部３における各飲料の容器９と対応する位置には、自動販売機１０１の利用者（自動販売機１０１の商品を購入しようとする者）が、購入する商品を決定するための押ボタンスイッチ１０が設けられている。そして、自動販売機１０１の扉部２のほぼ中央部には、自動販売機１０１の扉部２に接近した利用者を検出するためのセンサ１１（検出手段）が取り付けられている。このセンサ１１は、例えば人間が放出する赤外線を検出する赤外線センサである。更に、最下段の商品陳列部３の下方で硬貨投入口４の側方に、広告スペース１２が設けられている。広告スペース１２には、例えば飲料の宣伝ポスターや自動販売機１０１の宣伝ポスター等の紙媒体が収容される。
【００１６】
本実施例の自動販売機１０１は、扉部２の前面に長方形シート状のスクリーン１３と、このスクリーン１３の配置を自動販売機モードとスクリーン展開モードとに切り替えるスクリーン切替え装置２０１が設けられている。
【００１７】
スクリーン１３について説明する。図１ないし図４に示されるように、スクリーン１３は光を透過可能なシート材よりなる。そして、一辺の長さ（長さ方向Ｐの長さ）が他辺の長さ（幅方向Ｐの長さ）よりも長くなった長方形状であり、その長さ方向Ｐを自動販売機１０１の高さ方向に沿わせて取り付けられる（図２参照）。そして、展開状態におけるスクリーン１３の上半部に開口部１４が設けられているとともに、その下半部には広告を表示する広告表示部１５が設けられている。広告表示部１５には、文字・画像等の視覚情報よりなる広告図柄（図示せず）が例えば印刷によって表示されている。開口部１４は、自動販売機１０１の扉部２に設けられているすべての部材（商品陳列部３、硬貨投入口４、商品取出口８等）を露出させる程度の大きさである。また、広告表示部１５は、自動販売機１０１の扉部２に設けられているすべての部材（商品陳列部３、硬貨投入口４、商品取出口８等）を覆う程度の大きさである。本実施例のスクリーン１３の場合、開口部１４と広告表示部１５の大きさはほぼ等しく、長さ方向Ｐに直列的に設けられている。なお、図３及び図４の（ａ）における広告表示部１５は、スクリーン１３において広告図柄を表示可能な最大部分を示している。
【００１８】
スクリーン切替え装置２０１について説明する。スクリーン切替え装置２０１は、スクリーン１３の長手方向の両端部を係止する一対の巻取りロール１６，１７と、一対の巻取りロール１６，１７を回転させるモータ１８，１９と、それらを支持する各枠部（上枠部２１、下枠部２２、右枠部２３及び左枠部２４）とを備え、一定の場合に自動販売機１０１の扉部２の前面にスクリーン１３の開口部１４を配置して、扉部２の商品陳列部３等を露出させる自動販売機モードと、同じく前面にスクリーン１３の広告表示部１５を配置して、扉部２の商品陳列部３等を覆うスクリーン展開モードとを切り替えている。
【００１９】
第１実施例の自動販売機１０１では、一対の巻取りロール１６，１７は、それらの軸線１６ａ，１７ａを水平にして扉部２の上縁部と下縁部に取り付けられていて、スクリーン１３は自動販売機１０１の高さ方向に沿って巻き取られたり、繰り出されたりすることにより、スクリーン展開モード又は自動販売機モードに配置される。
【００２０】
次に、一対の巻取りロール１６，１７について説明する。図１ないし図４に示されるように、一対の巻取りロール１６，１７は同一形状であり、スクリーン１３の幅Ｗよりも少し長い。スクリーン１３における長さ方向Ｐの両端部１３ａ，１３ｂは、各巻取りロール１６，１７に固着されている。各巻取りロール１６，１７におけるスクリーン１３の固着部分（両端部１３ａ，１３ｂ）の長さは、各巻取りロール１６，１７の外周の約１／４である。一対の巻取りロール１６，１７は、自動販売機１０１の扉部２の周縁部に取り付けられた各枠部（上枠部２１、下枠部２２、右枠部２３及び左枠部２４）のうち、上枠部２１と下枠部２２に収容されている。一対の巻取りロール１６，１７が上下の枠部２１，２２に収容された状態で、それらの軸間距離Ｌはスクリーン１３の全長Ｌ’（長さ方向Ｐの長さ）よりも短い（Ｌ＜Ｌ’）。このため、スクリーン１３は、その一部が一方の巻取りロール１６，１７に巻き取られ、かつその長さ方向Ｐに張力が付与された状態で、扉部２の前面に配置される。例えば、図１及び図２に示されるように、スクリーン１３が自動販売機モードに配置されている状態で、スクリーン１３の下側の端部１３ｂは下側の巻取りロール１５に巻き取られている。また、図３に示されるように、スクリーン１３がスクリーン展開モードに配置されている状態で、スクリーン１３の上側の端部１３ａは上側の巻取りロール１７に巻き取られている。
【００２１】
一対の巻取りロール１６，１７の軸方向の一端部から、回転支持部２５，２６が突出している。そして、それらが軸受２７，２８に支持されている。これにより、一対の巻取りロール１６，１７は回転自在である。また、各巻取りロール１６，１７の他端部は、カップリング２９，３１により、モータ１６，１７のモータ軸と連結されている。いずれか一方のモータ１６，１７を作動することにより、対応する一方の巻取りロール１６，１７が回転し、スクリーン１３を巻き取る。このとき、他方のモータ１６，１７のモータ軸はリリース状態（空転する状態）となっていて、スクリーン１３が他方の巻取りロール１６，１７に巻き取られるのに伴って連れ回りする。これにより、他方の巻取りロール１６，１７に巻回されているスクリーン１３が繰り出される。この結果、スクリーン１３をスムーズに巻き取ることができる。
【００２２】
本実施例の自動販売機１０１は、通常の状態（例えば昼間の時間帯で、自動販売機１０１の利用者の数が多いと想定される状態）で、スクリーン１３の開口部１４が扉部２の前面に配置されている（自動販売機モード）。これにより、利用者が自動販売機１０１を利用するのに支障は生じない。しかし、深夜の時間帯で、自動販売機１０１の利用者の数が少ないと想定される状態では、上側の巻取りロール１６が回転してスクリーン１３を巻き取る。そして、スクリーン１３の広告表示部１５が扉部２の前面に配置される。これにより、自動販売機１０１の扉部２のほぼ全体に広告が表示される（スクリーン展開モード）。
【００２３】
本実施例のスクリーン１３は、光を透過可能である。そして、左右の枠部２３，２４には、夜間に商品のサンプル容器９を照らすための照明装置３２（例えば、蛍光灯やＬＥＤライト）が設けられている。夜間、スクリーン１３がスクリーン展開モードに配置されたとき、スクリーン１３には照明装置３２からの光がバックライトとして作用する。これにより、スクリーン１３の広告表示部１５の視覚情報が浮かび上がり、通行人や車両の乗員に注目され易くなる。
【００２４】
また、本実施例の自動販売機１０１は、利用時間計測手段を備えている。この利用時間計測手段は、例えばカレンダ機能を有する時計やタイマ（いずれも、図示せず）である。利用時間計測手段が時計の場合、例えば時間帯や曜日、季節等に応じてモータ１８，１９を作動し、定期的にスクリーン展開モードと自動販売機モードとを切り替えるという制御を行うことができる。また、利用時間計測手段がタイマの場合、直前の利用から所定時間が経過しても次の利用がされなかった場合に自動販売機モードをスクリーン展開モードに切り替えるという制御を行うことができる。
【００２５】
本実施例の自動販売機１０１の作用を、図５のフローチャートを参照しながら説明する。通常の状態で、スクリーン１３の広告表示部１５は下側の巻取りロール１６に巻き取られていて、自動販売機１０１の扉部２の前面にはスクリーン１３の開口部１４が配置されている（ステップＳ１０。自動販売機モード）。このため、扉部２に設けられている商品陳列部３、硬貨投入口４、商品取出口８等は露出されていて、利用者は通常の感覚で（スクリーン１３の存在を意識することなく）自動販売機１０１を利用することができる。
【００２６】
深夜の時間帯になり、利用時間計測手段によって自動販売機１０１の利用者が減少したことが検出されると（ステップＳ２０の「Ｙｅｓ」）、上側の巻取りロール１６に連結されているモータ１８が作動し、スクリーン１３を巻き取る（ステップＳ３０）。このとき、下側の巻取りロール１７に連結されているモータ１９のモータ軸は空転し、下側の巻取りロール１７は連れ回りしながらスクリーン１３を繰り出す。これにより、スクリーン１３の開口部１４が上側の巻取りロール１６に巻き取られるとともに、スクリーン１３の広告表示部１５がせり上がり、自動販売機１０１の扉部２の前面に配置される（ステップＳ４０）。ここで、左右の枠部２３，２４に照明装置３２が設けられている。しかも、スクリーン１３が光を透過可能であるため、この光がバックライトとなってスクリーン１３の広告表示部１５を浮き立たせる。これにより、スクリーン１３の広告表示機能が発揮される。
【００２７】
しかも、広告表示部１５は、自動販売機１０１の扉部２のほぼ全面に亘る大画面で設けられているため、通行人や車両の乗員に注目され易く、広告としての訴求力が高くなる。なお、自動販売機１０１における利用者の減少は、自動販売機１０１が一定時間に亘って利用されなかったことにより検出できる。また、自動販売機１０１に時計等の計時手段を組み込み、１日のうちの所定時刻に達したら自動的にスクリーン展開モードとする（例えば、夜１１時から翌朝の５時までをスクリーン展開モードとする）ようにしてもよい。
【００２８】
もし、スクリーン１３がスクリーン展開モードに配置されているときに、自動販売機１０１を利用しようとして利用者が扉部２に接近した場合、センサ１１が利用者を検出する（ステップＳ５０の「Ｙｅｓ」）。これにより、下側の巻取りロール１５に連結されているモータ１７が作動し、スクリーン１３を巻き取る（ステップＳ６０）。スクリーン１３が巻き取られてその広告表示部１５が下降し、自動販売機モードに配置される（ステップＳ７０）。これにより、利用者が自動販売機１０１を利用可能となる。しかも、スクリーン１３が巻き取られることによる驚きや面白さを利用者に与えることができる。なお、利用者は、スクリーン１３を通して商品陳列部３等を視認可能であるため、スクリーン１３がスクリーン展開モードに配置されていても自動販売機１０１と認識できる。
【００２９】
そして、利用者の数が減少したことが検出されたらステップＳ２０に戻り、スクリーン１３を巻き取って、スクリーン１３をスクリーン展開モードに配置する。
【００３０】
本明細書では、自動販売機１０１の扉部２が露出状態から広告表示状態に切り替わるとき、スクリーン１３の広告表示部１５が下方からせり上がる場合について説明した。この場合、スクリーン１３の広告表示部１５に何らかの文字が書かれていると、その文字が徐々に解読できるという面白さが生じる。しかし、スクリーン１３の開口部１４と広告表示部１５とを逆に設け、広告表示部１５が上方から下降して表示されるようにしてもよい。
【００３１】
更に、図６に示されるように、スクリーン１３の開口部１４を挟んで第１及び第２の広告表示部１５ａ，１５ｂを長さ方向Ｐに直列的に設け、第１広告表示部１５ａと第２広告表示部１５ｂとが、開口部１４を挟んで交互に表示されるようにしてもよい。
【００３２】
上記した第１実施例の自動販売機１０１の照明装置３２は、自動販売機１０の本体部１及び扉部２とは別体のものである。しかし、自動販売機１０１の扉部２には、商品陳列部３のサンプル容器９や広告スペース１２を照らし出すための照明器具（図示せず）が設けられている。このため、これらの照明器具をスクリーン１３の広告表示部１５を浮かび上がらせるためのバックライトとして使用してもよい。
【実施例２】
【００３３】
次に、第２実施例の自動販売機１０２について説明する。上記した第１実施例の自動販売機１０１は、扉部２のほぼ全面を覆う場合である。しかし、図７及び図８に示される第２実施例の自動販売機１０２のように、扉部２の一部（例えば、下半部）のみにスクリーン１３を配置するようにしてもよい。スクリーン切替え装置２０２の構成は、スクリーン切替え装置２０１の構成とほぼ同一である。この実施例の自動販売機１０２の場合、商品陳列部３が常に露出されているため、通行人が自動販売機と認識するのが容易である。なお、第２実施例以下の自動販売機１０２においては、照明装置３２の図示を省略する。
【実施例３】
【００３４】
更に、図９及び図１０に示される第３実施例の自動販売機１０３のように、巻取りロール３２，３３を扉部２における幅方向Ｐの両端部に、かつそれらの軸線が自動販売機１０３の長さ方向Ｐと平行になるように配置して、スクリーン１３が横方向に巻き取られるようにしてもよい。スクリーン切替え装置２０３の構成は、スクリーン切替え装置２０１の構成とほぼ同一である。この場合、スクリーン１３の広告表示部１５が自動販売機１０３の扉部２を覆う範囲は、全面的であっても部分的であってもよい。
【実施例４】
【００３５】
次に、第４実施例の自動販売機１０４について説明する。図１１及び図１２に示される第４実施例の自動販売機１０４は、スクリーン３３とスクリーン切替え装置２０４とを備えている。このスクリーン３３には、上記した第１ないし第３実施例の自動販売機１０１〜１０３のスクリーン１３と異なり、広告表示部１５のみが設けられている。スクリーン３３の長さ方向Ｐの上端部は、上枠部２１に収容されている巻取りロール１６に固着されていて、下端部にはウエイト３４が取り付けられている。下枠部２２には、巻取りロールは設けられていない。ウエイト３４の長手方向の両端部は、スクリーン３３の幅方向Ｑの端部から突出している。更に、左右の枠部２３，２４には、ウエイト３４の両端部をガイドする溝部３５が設けられていて、ウエイト３４の両端部は溝部３５にガイドされて上昇したり、下降したりする。
【００３６】
第４実施例の自動販売機１０４の作用を説明する。自動販売機１０４において、スクリーン３３が自動販売機モードに配置されているとき、スクリーン３３は巻取りロール１６に巻き取られている。このとき、ウエイト３４は扉部２の上端部に配置されている。これにより、スクリーン３３は自動販売機モードに配置され、自動販売機１０４の扉部２がほぼ全面的に露出される。
【００３７】
スクリーン３３がスクリーン展開モードに配置されるとき、モータ１８のモータ軸がスクリーン３３を繰り出す方向に回転する。スクリーン３３は、ウエイト３４の自重により、左右の枠部２３，２４の溝部３５にガイドされながら下降し、扉部２の前面を覆う。そして、スクリーン３３は、ウエイト３４の自重により張力付与状態で配置される。
【００３８】
図１３に示されるように、スクリーン３３のウエイト３４の両端部に一対のガイドローラ３６を取り付け、一対のガイドローラ３６が左右の枠部２３，２４の溝部３５を滑るようにしてもよい。これにより、スクリーン３３の上昇・下降をよりスムーズに行うことができる。
【００３９】
第４実施例の自動販売機１０４の場合、巻取りロール１６とモータ１８が１つで済むとともに、スクリーン３３の長さが短くて済むという利点がある。
【実施例５】
【００４０】
図１４の（ａ），（ｂ）に示される第５実施例の自動販売機１０５のように、上枠部２１からスクリーン３７を吊り下げてスクリーン展開モードに配置させるとともに、このスクリーン３７を蛇腹状に折り畳むことによって上枠部２１に収容して自動販売機モードに配置させるようにしてもよい。このときのスクリーン切替え装置２０５は、上枠部２１に収容される巻取りロール３８と、巻取りロール３８とスクリーン３７の下端部に固着されたウエイト４０とを連結するワイヤ３９とを備える。図１４の（ａ）に示されるスクリーン展開モードでは、スクリーン３７はウエイト４０の自重によって下降し、自動販売機１０５の扉部２を覆う。図１４の（ｂ）に示される自動販売機モードでは、巻取りロール３８に接続されるモータ（図示せず）の作用により、巻取りロール３８がスクリーン３７を巻き取る方向に回転する。これにより、スクリーン３７が折り畳まれて上枠部２１に収容され、自動販売機１０５の扉部２を露出させる。
【実施例６】
【００４１】
図１５に示される第６実施例の自動販売機１０６のように、スクリーン４１が扉部２を越えて本体部１に進入するように配置して、スクリーン４１を周回走行させてもよい。この場合、スクリーン４１がエンドレス（無端状）となるため、スクリーン切替え装置２０６は、４本の巻取りロール１６，１７，４２，４３を備える。
【００４２】
上記した各実施例の自動販売機１０１〜１０６の場合、利用者の少ない深夜の時間帯でその扉部２がスクリーン１３，３３，３７，４１の広告表示部１５で覆われるため、防犯にも寄与する。
【００４３】
上記した各実施例の自動販売機１０１〜１０６のスクリーン１３，３３，３７，４１を交換可能とすることが望ましい。また、スクリーン１３，３３，３７，４１は、光を透過しないものであってもよい。
【産業上の利用可能性】
【００４４】
本発明は、自動販売機に利用できる。
【符号の説明】
【００４５】
１０１〜１０６  自動販売機
２０１〜２０６  スクリーン切替え装置
１  本体部（本体）
２  扉部（本体）
３  商品陳列部
４  硬貨投入口（代金決済部）
５  紙幣投入口（代金決済部）
７  釣銭取出口（代金決済部）
８  商品取出口（商品取出部）
１１  センサ（検出手段）
１３，３３，３７，４１  スクリーン
３２  照明装置
【図１】
2011018126.tif 000003
【図２】
2011018126.tif 000004
【図３】
2011018126.tif 000005
【図４】
2011018126.tif 000006
【図５】
2011018126.tif 000007
【図６】
2011018126.tif 000008
【図７】
2011018126.tif 000009
【図８】
2011018126.tif 000010
【図９】
2011018126.tif 000011
【図１０】
2011018126.tif 000012
【図１１】
2011018126.tif 000013
【図１２】
2011018126.tif 000014
【図１３】
2011018126.tif 000015
【図１４】
2011018126.tif 000016
【図１５】
2011018126.tif 000017
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
前面に少なくとも商品陳列部、商品取出部及び代金決済部を備えた本体と、
シート状をなし、本体の前面全体を覆うように配置され、予め広告その他の文字・画像等の視覚情報が表示されたスクリーンと、
そのスクリーンが前記本体の前面全体を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、
その本体の前面で、該本体の前面全体を覆う大きさを有する前記スクリーンの移動方向に沿って、かつ該スクリーンの移動方向の両側縁に対応する位置に設けられた一対の枠部と、を含み、
前記スクリーンの両側縁は、前記各枠部の内側に入り込んで外部から視認されない状態で保持されかつ移動することを特徴とする自動販売機。
【請求項２】
前面に少なくとも商品陳列部、商品取出部及び代金決済部を備えた本体と、
シート状をなし、本体の前面全体を覆うように配置され、予め広告その他の文字・画像等の視覚情報が表示されたスクリーンと、
そのスクリーンが前記本体の前面全体を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、を含み、
前記スクリーンは、長方形状のシート材に前記本体の前面全体を露出させる開口部と、同じく前面全体を覆う広告表示部とが直列的に設けられ、
前記スクリーン切替え装置は、前記本体の上端部と下端部、または前記本体の左端部と右端部に取り付けられ、前記スクリーンの長手方向の端部を固着して軸心周りに回転することによって前記スクリーンを巻取り可能な一対の巻取りロールを備え、
前記一対の巻取りロールがそれらの軸心周りに正逆いずれかの方向に回転して前記スクリーンを巻き取ることにより、その開口部と広告表示部とのいずれかを前記本体の前面に配置することを特徴とする自動販売機。
【請求項３】
前記スクリーンの開口部が矩形状に、かつその開口部の両内側縁とスクリーンの移動方向における両側縁とが互いに平行となるように形成され、
前記本体の前面にはそのスクリーンの移動方向に沿って、かつ該スクリーンの移動方向の両側縁に対応する位置に一対の枠部が設けられ、
前記スクリーンの両側縁及び該スクリーンの開口部の両内側縁がともに前記各枠部の内側に入り込んで外部から視認されない状態で保持されかつ移動することを特徴とする請求項２に記載の自動販売機。
【請求項４】
前記自動販売機が利用されている時間を計測する利用時間計測手段を備え、
前記利用時間計測手段により、自動販売機が一定時間に亘って利用されなかったことが計測され、かつ前記スクリーンが自動販売機モードに配置されているときに、前記スクリーン切替え装置がスクリーンをスクリーン展開モードに切り替えることを特徴とする請求項１ないし３のいずれか１項に記載の自動販売機。
【請求項５】
自動販売機の利用者が前記自動販売機の本体に接近したことを検出する検出手段を備え、
前記検出手段が利用者を検出し、かつ前記スクリーンがスクリーン展開モードに配置されているときに、前記スクリーン切替え装置がスクリーンを自動販売機モードに切り替えることを特徴とする請求項１ないし４のいずれか１項に記載の自動販売機。
【請求項６】
前記自動販売機の本体は、その前面を照射する照明装置を備え、
前記スクリーンは、前記照明装置の光を透過可能に設けられていることを特徴とする請求項１ないし５のいずれか１項に記載の自動販売機。
【手続補正２】
【補正対象書類名】明細書
【補正対象項目名】０００７
【補正方法】変更
【補正の内容】
【０００７】
上記課題を解決するための第１の発明は、
前面に少なくとも商品陳列部、商品取出部及び代金決済部を備えた本体と、
シート状をなし、本体の前面全体を覆うように配置され、予め広告その他の文字・画像等の視覚情報が表示されたスクリーンと、
そのスクリーンが前記本体の前面全体を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、
その本体の前面で、該本体の前面全体を覆う大きさを有する前記スクリーンの移動方向に沿って、かつ該スクリーンの移動方向の両側縁に対応する位置に設けられた一対の枠部と、を含み、
前記スクリーンの両側縁は、前記各枠部の内側に入り込んで外部から視認されない状態で保持されかつ移動することを特徴としている。
同じく第２の発明は、
前面に少なくとも商品陳列部、商品取出部及び代金決済部を備えた本体と、
シート状をなし、本体の前面全体を覆うように配置され、予め広告その他の文字・画像等の視覚情報が表示されたスクリーンと、
そのスクリーンが前記本体の前面全体を覆って前記視覚情報を前記本体の前面側に表示するスクリーン展開モードと、そのスクリーンを格納又は移動して前記本体の少なくとも商品陳列部、商品取出部及び代金決済部を前記本体の前面に露出させる自動販売機モードとに切り替えるスクリーン切替え装置と、を含み、
前記スクリーンは、長方形状のシート材に前記本体の前面全体を露出させる開口部と、同じく前面全体を覆う広告表示部とが直列的に設けられ、
前記スクリーン切替え装置は、前記本体の上端部と下端部、または前記本体の左端部と右端部に取り付けられ、前記スクリーンの長手方向の端部を固着して軸心周りに回転することによって前記スクリーンを巻取り可能な一対の巻取りロールを備え、
前記一対の巻取りロールがそれらの軸心周りに正逆いずれかの方向に回転して前記スクリーンを巻き取ることにより、その開口部と広告表示部とのいずれかを前記本体の前面に配置することを特徴としている。
そして、第３の発明においては、
前記スクリーンの開口部が矩形状に、かつその開口部の両内側縁とスクリーンの移動方向における内側縁とが互いに平行となるように形成され、
また、前記本体の前面にはそのスクリーンの移動方向に沿って、かつ該スクリーンの移動方向の両内側縁に対応する位置に一対の枠部が設けられ、
前記スクリーンの両内側縁及び該スクリーンの開口部の両内側縁がともに前記各枠部の内側に入り込んで外部から視認されない状態で保持されかつ移動するようにすることが望ましい。
【手続補正３】
【補正対象書類名】明細書
【補正対象項目名】００１２
【補正方法】変更
【補正の内容】
【００１２】
【図１】本発明の第１実施例の自動販売機１０１の自動販売機モードにおける正面図である。
【図２】同じく側面図である。
【図３】同じくスクリーン展開モードにける正面図である。
【図４】（ａ）はスクリーン１３の全体正面図、（ｂ）は同じく全体側面図である。
【図５】第１実施例の自動販売機１０１の作用を示すフローチャートである。
【図６】別形態のスクリーン１３の全体正面図である。
【図７】第２実施例（参考例）の自動販売機１０２の自動販売機モードにおける正面図である。
【図８】同じくスクリーン展開モードにおける正面図である。
【図９】第３実施例の自動販売機１０３の自動販売機モードにおける正面図である。
【図１０】同じくスクリーン展開モードにおける正面図である。
【図１１】第４実施例の自動販売機１０４のスクリーン展開モードにおける正面図である。
【図１２】（ａ）はスクリーン３３の全体正面図、（ｂ）は同じく全体側面図である。
【図１３】（ａ）はガイドローラ３６を取り付けたスクリーン３３の全体正面図、（ｂ）は同じく全体側面図である。
【図１４】（ａ）は第５実施例の自動販売機１０５のスクリーン展開モードにおける断面側面図、（ｂ）は同じく自動販売機モードにおける断面側面図である。
【図１５】第６実施例の自動販売機１０６の自動販売機モードにおける断面側面図である。
【手続補正４】
【補正対象書類名】明細書
【補正対象項目名】００３３
【補正方法】変更
【補正の内容】
【００３３】
次に、本願発明の特許請求の範囲から外れるものであるが、比較のために第２実施例（参考例）の自動販売機について説明する。上記した第１実施例の自動販売機１０１は、扉部２のほぼ全面を覆う場合である。しかし、図７及び図８に示される自動販売機１０２のように、扉部２の一部（例えば、下半部）のみにスクリーン１３を配置するようにしてもよい。スクリーン切替え装置２０２の構成は、スクリーン切替え装置２０１の構成とほぼ同一である。この実施例の自動販売機１０２の場合、商品陳列部３が常に露出されているため、通行人が自動販売機と認識するのが容易である。なお、第２実施例以下の自動販売機１０２においては、照明装置３２の図示を省略する。
【手続補正５】
【補正対象書類名】明細書
【補正対象項目名】００３４
【補正方法】変更
【補正の内容】
【００３４】
更に、図９及び図１０に示される第３実施例の自動販売機１０３のように、巻取りロール３２，３３を扉部２における幅方向Ｐの両端部に、かつそれらの軸線が自動販売機１０３の長さ方向Ｐと平行になるように配置して、スクリーン１３が横方向に巻き取られるようにしてもよい。スクリーン切替え装置２０３の構成は、スクリーン切替え装置２０１の構成とほぼ同一である。